(57)【要約】【課題】皮膚の表面に設置して、所定の部位の周囲の伸長と復元とを機械的に容易に繰り返すことができる美容器を提供すること。【解決手段】美容器１９を、一面に開口部３３を有する椀状のカップ３１と、肌３９で開口部３３を閉じた状態で、カップ３１内の気圧を減じる減圧手段であるダイヤフラムポンプ２９と、カップ３１内に外気を導入させる電磁弁１３と、カップ３１内の気圧が設定値になったことを検出する気圧検出手段である電流センサ７と、開口部３３を閉じた状態のカップ３１内の気圧が増減するよう、電流センサ７で検出した電流の値に基づいてダイヤフラムポンプ２９と電磁弁１３とを交互に作動させる制御部であるＭＣＵ３とで構成する。【選択図】図２
2015211800.tif 000002
【特許請求の範囲】
【請求項１】
一面に開口部を有する椀状のカップと、
前記開口部を閉じた状態で、前記カップ内の気圧を減じる減圧手段と、
前記カップ内に外気を導入させる弁と、
前記カップ内の気圧が設定値になったことを検出する気圧検出手段と、
前記開口部を閉じた状態の前記カップ内の気圧が増減するよう、前記気圧検出手段で検出した値に基づいて前記減圧手段と前記弁とを交互に作動させる制御部と、
を具備することを特徴とする美容器。
【請求項２】
前記減圧手段が、前記カップ内に連通する吸気弁と、外部に連通する排気弁とを有するダイヤフラムポンプであることを特徴とする請求項１に記載の美容器。
【請求項３】
前記気圧検出手段が、気圧センサであることを特徴とする請求項１または請求項２に記載の美容器。
【請求項４】
前記気圧検出手段が、前記ダイヤフラムポンプの駆動モータの電流を観測する電流センサであることを特徴とする請求項２に記載の美容器。
【請求項５】
前記カップ内に、板状部材と、一端が前記カップ内の頂部付近に固定され、他端が前記板状部材に固定されたばね材とからなる押し出し部材が設けられることを特徴とする請求項１から請求項４のいずれかに記載の美容器。
【発明の詳細な説明】
【技術分野】
【０００１】
本発明は、美容器に関する。
【背景技術】
【０００２】
従来、皮膚のトリートメントを行う美容器として、皮膚に電流を流すためのプローブを有するものがあった。プローブとして、例えば、開口と内部の空気を吸引する吸引孔とを有するカップ型であり、開口の少なくとも一部を塞ぎ、且つカップ内に配設された治療電極に接触した吸液部材に導電性液体を含ませた状態でカップを弾性変形させた後、吸液部材を皮膚に接触させてカップを離し、プローブと皮膚とを密着させるものがあった（例えば、特許文献１参照）。
【０００３】
また、先端部に開口を有する減圧室と連通するように形成した中空本体を有する美容器もあった。この美容器は、皮膚を吸引する減圧手段と、減圧室内に吸引された皮膚が接触するブラシとをさらに備えており、減圧室の開口を皮膚に当接した状態で、減圧手段により本体内部を減圧して皮膚を吸引することにより、減圧室へ毛穴を広げて皮膚を盛り上がらせて毛穴および皮膚の表面の汚れ等をブラシ等により落とすものであった（例えば、特許文献２参照）。
【先行技術文献】
【特許文献】
【０００４】
【特許文献１】特開２０１２-６５６９３号公報
【特許文献２】特開平５−４２０６０号公報
【発明の概要】
【発明が解決しようとする課題】
【０００５】
しかしながら、上述した美容器は、皮膚の表面をケアするものであった。これらの他に、皮下の血行を良くするためのケアを容易に行うことができる簡単な構成の美容器も必要とされていた。
【０００６】
本発明は、前述した問題点に鑑みてなされたもので、その目的は、皮膚の表面に設置して、所定の部位の周囲の伸長と復元とを機械的に容易に繰り返すことができる美容器を提供することである。
【課題を解決するための手段】
【０００７】
前述した目的を達成するための本発明は、一面に開口部を有する椀状のカップと、前記開口部を閉じた状態で、前記カップ内の気圧を減じる減圧手段と、前記カップ内に外気を導入させる弁と、前記カップ内の気圧が設定値になったことを検出する気圧検出手段と、前記開口部を閉じた状態の前記カップ内の気圧が増減するよう、前記気圧検出手段で検出した値に基づいて前記減圧手段と前記弁とを交互に作動させる制御部と、を具備することを特徴とする美容器である。
【０００８】
前記減圧手段は、前記カップ内に連通する吸気弁と、外部に連通する排気弁とを有するダイヤフラムポンプであることが望ましい。
【０００９】
前記気圧検出手段は、例えば、気圧センサである。
前記気圧検出手段は、前記ダイヤフラムポンプの駆動モータの電流を観測する電流センサであってもよい。
【００１０】
前記カップ内には、板状部材と、一端が前記カップ内の頂部付近に固定され、他端が前記板状部材に固定されたばね材とからなる押し出し部材を設けてもよい。
【００１１】
本発明の美容器は、椀状のカップの開口部を閉じた状態で、カップ内の気圧が設定値になったことを検出する気圧検出手段で検出した値に基づいて、カップ内の気圧を減じる減圧手段とカップ内に外気を導入させる弁とを交互に作動させる。カップの開口部を伸縮性のある皮膚表面で閉鎖すれば、脂肪が蓄積する部位の周囲の伸長と復元とを機械的に容易に繰り返し、血行を改善して脂肪を揉み解すことができる。
【発明の効果】
【００１２】
本発明によれば、皮膚の表面に設置して、所定の部位の周囲の伸長と復元とを機械的に容易に繰り返すことができる美容器を提供することができる。
【図面の簡単な説明】
【００１３】
【図１】美容器１９の構成を示す図
【図２】美容器１９の断面図
【図３】ダイヤフラムポンプ２９の動作を示す図
【図４】所定の経過時間におけるダイヤフラムポンプ２９および電磁弁１３の動作状態とカップ３１内の気圧とを示す図
【図５】美容器１９の作動中の肌３９の状態を示す模式図
【図６】押し出し部材４３が設けられたカップ３１ａの概要を示す図
【発明を実施するための形態】
【００１４】
以下、図面に基づいて、本発明の実施形態について説明する。
【００１５】
（美容器１９の構成）
図１は、美容器１９の構成を示す図である。図２は、美容器１９の断面図である。美容器１９は、図１に示すように、美容器１９全体の電源である電源１、制御部であるＭＣＵ３、ポンプモータ９のＯＮ／ＯＦＦスイッチ５、図２に示すカップ３１内の気圧を検出する気圧検出手段である電流センサ７、図２に示すダイヤフラムポンプ２９を駆動させるポンプモータ９、カップ３１内に外気を導入させる弁である電磁弁１３、電磁弁１３のＯＮ／ＯＦＦスイッチ１１、ＭＣＵ３からの出力手段である表示器１５、ＭＣＵ３への入力手段である操作キー１７等を有する。美容器１９は、図２に示すように、カップ３１内の気圧を減じる減圧手段であるダイヤフラムポンプ２９、カップ３１等をさらに有する。
【００１６】
図２に示すように、カップ３１は、椀状であり、一面に開口部３３を有する。カップ３１は、開口部３３を閉じた状態で内部を減圧しても変形しない材質とする。カップ３１は、開口部３３の周囲に接触部３５が形成される。接触部３５は、カップ３１の端部３７を、開口部３３の外側に向けて湾曲させて形成される。接触部３５は、人の肌に接触したときに不快感を与えないような形状および材質とする。
【００１７】
ダイヤフラムポンプ２９は、ＯＮ／ＯＦＦスイッチ５を介してＭＣＵ３に接続されるポンプモータ９、ポンプモータ９の回転を往復運動に変換するクランクシャフト２５、クランクシャフト２５と膜２９ａとに連結されたロッド２７、カップ３１の内部と連通する吸気弁２１、外部と連通する排気弁２３、変形可能な膜２９ａ等を有する。
【００１８】
（美容器１９の動作）
作業者は、電源１を入れて美容器１９を待機状態として、操作キー１７を操作する。操作キー１７から操作が入力されると、ＭＣＵ３は、動作の表示器１５を点灯させる。電流センサ７は、ダイヤフラムポンプ２９の駆動モータであるポンプモータ９の動作電流値を検出してＭＣＵ３に送信する。ＭＣＵ３は、開口部３３を閉じた状態のカップ３１内の気圧が増減するように、電流センサ７で検出した値に基づいて、ポンプモータ９のＯＮ／ＯＦＦスイッチ５や電磁弁１３のＯＮ／ＯＦＦスイッチ１１に制御信号を送り、ダイヤフラムポンプ２９と電磁弁１３とを交互に作動させる。
【００１９】
ダイヤフラムポンプ２９と電磁弁１３とを交互に作動させる際、ＭＣＵ３は、まず、ＯＮ／ＯＦＦスイッチ１１をＯＦＦとして電磁弁１３の吸排気路を閉じた状態で、ＯＮ／ＯＦＦスイッチ５をＯＮとしてダイヤフラムポンプ２９を作動させる。ダイヤフラムポンプ２９を作動させるためにＯＮ／ＯＦＦスイッチ５をＯＮとすると、ポンプモータ９に電圧が印加される。ポンプモータ９は、電圧印加されている間、回転してクランクシャフト２５を回転させ、ロッド２７を２次元的に往復運動させる。
【００２０】
図３は、ダイヤフラムポンプ２９の動作を示す図である。図３（ａ）は、膜２９ａが上昇した状態を示し、図３（ｂ）は、膜２９ｂが下降した状態を示す。カップ３１の開口部３３を人体の肌３９等で閉じた状態でロッド２７を往復運動させると、図３に示すように、ダイヤフラムポンプ２９の膜２９ａが上下に移動する。
【００２１】
図３（ａ）に示すように、膜２９ａが上へ移動する間は、排気弁２３は閉じ、吸気弁２１が上へ開き、矢印Ａに示すように、カップ３１内の空気がダイヤフラムポンプ２９内に吸気される。図３（ｂ）に示すように、膜２９ａが下へ移動する間は、吸気弁２１は閉じ、排気弁２３が開き、矢印Ｂに示すように、ダイヤフラムポンプ２９内の空気が外へ排出される。カップ３１の開口部３３が塞がれていれば、これを繰り返す毎にカップ３１内の気圧が低くなる。
【００２２】
ダイヤフラムポンプ２９の動作によってカップ３１内の気圧が下がると、カップ３１内の空気をダイヤフラムポンプ２９内へ更に吸い込む過程において、ポンプモータ９の負荷が重くなり、その消費電流が増加する。電流センサ７が消費電流の増加を検出すると、ＭＣＵ３は、一定時間経過後にＯＮ／ＯＦＦスイッチ５をＯＦＦとし、ポンプモータ９を停止させる。
【００２３】
ダイヤフラムポンプ２９のポンプモータ９を停止させた後、ＭＣＵ３は、ＯＮ／ＯＦＦスイッチ１１をＯＮとして電磁弁１３を作動させる。電磁弁１３を作動させるためにＯＮ／ＯＦＦスイッチ１１をＯＮとすると、電圧が印加されて電磁弁１３の吸排気路が開放される。その後、一定時間、電磁弁１３の吸排気路が開放された状態を保つことにより、カップ３１内の気圧を戻し、カップ３１の開口部３３を塞いでいる肌３９等の物質を吸い込む力をゼロとする。
【００２４】
ＭＣＵ３は、電磁弁１３の吸排気路を閉じた状態でのダイヤフラムポンプ２９の作動と、ダイヤフラムポンプ２９を停止した状態での電磁弁１３の吸排気路の開放とを一連の動作とし、繰り返し行わせる。ＭＣＵ３は、上記の繰り返し動作を開始する際にタイマーを起動し、一定時間後に繰り返し動作を停止させる。
【００２５】
図４は、所定の経過時間におけるダイヤフラムポンプ２９および電磁弁１３の動作状態とカップ３１内の気圧とを示す図である。ＭＣＵ３は、タイマーによって、図４に示すようにダイヤフラムポンプ２９および電磁弁１３の動作状態を制御する。
【００２６】
図４に示すように、ＭＣＵ３は、経過時間ｔ０のとき、電磁弁１３がＯＦＦの状態（閉状態）でダイヤフラムポンプ２９を作動させる。これにより、カップ３１内の気圧は大気圧と同等値から徐々に減圧され、経過時間ｔ１のときに設定値に達する。ＭＣＵ３は、経過時間ｔ１のとき、電磁弁１３がＯＦＦの状態のままでダイヤフラムポンプ２９を停止させ、経過時間ｔ２となるまでの一定時間、カップ３１内の気圧を設定値に保持する。ＭＣＵ３は、経過時間ｔ２のとき、ダイヤフラムポンプ２９を停止したままで電磁弁１３をＯＮにして開放する。これにより、カップ３１内の気圧は、設定値から徐々に大きくなり、経過時間ｔ３のとき、大気圧と同等値に戻る。その後、経過時間ｔ３以降、ＭＣＵ３は、上述した内容での制御を繰り返す。
【００２７】
（美容器１９の使用）
図５は、美容器１９の作動中の肌３９の状態を示す模式図である。図５（ａ）から図５（ｄ）において、左側の図は、カップ３１の開口部３３周辺における肌３９の状態を示す断面図、右側の図は、左側の図に示すカップ３１の接触部３５と肌３９との接触点４１同士の平面換算距離を示す図である。
【００２８】
美容器１９を使用する際には、まず、図５（ａ）に示すように、カップ３１を人体の肌３９の表面に配置して、開口部３３を閉鎖する。カップ３１は、例えば、脂肪が蓄積する最寄の部位に配置する。そして、カップ３１内の気圧を電流センサ７で検出しつつ、電磁弁１３の吸排気路を閉じた状態でダイヤフラムポンプ２９を作動させ、カップ３１内の気圧を低くする。
【００２９】
肌３９でカップ３１の開口部３３を塞いだ状態でカップ３１内の気圧を低くすると、図５（ｂ）に示すように、肌３９がカップ３１内に吸い込まれ、図５（ａ）に示す接触点４１ａ同士の距離と比較して、接触点４１ｂ同士の平面換算距離が伸びる。カップ３１内の気圧を更に低くすると、図５（ｃ）に示すように、肌３９がカップ３１内に更に吸い込まれ、接触点４１ｃ同士の平面換算距離が更に伸びる。
【００３０】
電流センサ７が検出したカップ３１内の気圧が設定値に達すると、図４を用いて説明したように一定時間気圧を保持した後、ダイヤフラムポンプ２９を停止させ、電磁弁１３の吸排気路を一定時間開放して、カップ３１内の気圧を元に戻す。気圧が元に戻ると、カップ３１内に吸い込まれていた肌３９が、図５（ｄ）に示すように元に戻り、接触点４１ｄ同士の平面換算距離も元に戻る。
【００３１】
このように、本実施の形態では、一面に開口部３３を有する椀状のカップ３１と、カップ３１内の気圧を減じるダイヤフラムポンプ２９と、カップ３１内に外気を導入させる電磁弁１３と、カップ３１内の気圧が設定値になったことを検出する電流センサ７と、制御部であるＭＣＵ３とを有する美容器１９を用いる。そして、椀状のカップ３１の開口部３３を人体の肌３９の表面で閉じた状態とし、カップ３１内の気圧が増減するよう、電流センサ７で検出した値に基づいてダイヤフラムポンプ２９と電磁弁１３とを交互に作動させる。これにより、脂肪が蓄積する部位の伸長と復元とを機械的に繰り返し、血行を改善して脂肪を揉み解すことができる。
【００３２】
なお、本実施の形態では、気圧検出手段としてポンプモータ９の動作電流値を観測する電流センサ７を用いたが、カップ３１内の気圧を測定する気圧センサを用いてもよい。また、カップ３１の形状は、上述したものに限らない。
【００３３】
図６は、押し出し部材４３が設けられたカップ３１ａの概要を示す図である。図６に示すカップ３１ａは、内部に、板状部材４５とばね材４７とからなる押し出し部材４３が設けられる。ばね材４７は、一端がカップ３１ａ内の頂部付近に固定され、他端が板状部材４５に固定される。
【００３４】
図６に示すカップ３１ａを有する美容器１９を用いた場合、カップ３１ａ内の気圧を減圧すると、肌３９は、図６（ｂ）に示すように、ばね材４７を縮めて板状部材４５をカップ３１ａの頂部方向に押しながら、カップ３１ａ内に吸い込まれる。カップ３１ａ内の気圧が大気圧と同等値に戻ると、肌３９は、図６（ａ）に示すように、ばね材４７の復元力によって板状部材４５で開口部３３の方向に押され、元の状態に戻る。
【００３５】
図２等に示すカップ３１を用いる場合、肌３９が比較的柔らかいと、カップ３１内の気圧が大気圧と同等値に戻っても、肌３９がカップ３１に吸い込まれたまま元に戻らないことがある。しかし、図６に示す、押し出し部材４３を設けたカップ３１ａを用いれば、肌３９が比較的柔らかい場合でも、脂肪が蓄積する部位の伸長と復元とを機械的に繰り返すことができる。
【００３６】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００３７】
３………ＭＣＵ
５、１１………ＯＮ／ＯＦＦスイッチ
７………電流センサ
９………ポンプモータ
１３………電磁弁
１９………美容器
２１………吸気弁
２３………排気弁
２９………ダイヤフラムポンプ
２９ａ………膜
３１………カップ
３３………開口部
３５………接触部
３９………肌
４３………押し出し部材
４５………板状部材
４７………ばね材
【図１】
2015211800.tif 000003
【図２】
2015211800.tif 000004
【図３】
2015211800.tif 000005
【図４】
2015211800.tif 000006
【図５】
2015211800.tif 000007
【図６】
2015211800.tif 000008